(57)【要約】手術器具収容バッグ(100)は、上方に開口部(23)を有する袋状本体(20)と、袋状本体(20)の上端に取り付けられた腰ベルト(80)とを備える。開口部(23)が閉じるのを防ぐために、開口部(23)の周囲に沿って環状の弾性部材(30)が配置される。腰ベルト(80)は折り畳まれて面ファスナー(60)で袋状本体(20)の側面の上に保持される。外科手術において、施術者は、折り畳まれた腰ベルト(80)を展開しつつ施術者の胴体に巻き付けてから腰ベルト(80)の両端を結び合わせることで、バッグ(100)を装着する。施術者は袋状本体(20)内に種々の手術器具を収容する。
2015155901.tif 000002
【特許請求の範囲】
【請求項１】
外科手術において施術者が胴体に巻きつけて使用するための、手術器具収容バッグであって、  施術者の胴体に接触する背面部を有しかつ上方に開口した開口部を有する袋状本体と、該袋状本体の上端に取り付けられた腰ベルトとを備える、収容バッグ。
【請求項２】
前記開口部の周囲に沿って、弾性部材が内包されている、請求項１に記載の収容バッグ。
【請求項３】
前記袋状本体の内部に、前記腰ベルトに対して垂直な方向に延びた仕切部が設けられており、該仕切部は前記袋状本体の上方を区切り、下方が解放されるように設けられている、請求項１または２に記載の収容バッグ。
【請求項４】
前記袋状本体の背面部側の内側の上方に、前記手術器具を係止するためのループ状係止部が設けられている、請求項１から３のいずれかに記載の収容バッグ。
【請求項５】
前記袋状本体の両方の側面に、前記腰ベルトをジグザグ状に折り畳まれた状態で保持可能な面ファスナーを備え、そして折り畳まれた腰ベルトは先端側が面ファスナーの雌側に接するように保持されている、請求項１から４のいずれかに記載の収容バッグ。
【請求項６】
前記袋状本体が、耐水性を有する外側層と、耐熱性を有する内側層とを備える、請求項１から５のいずれかに記載の収容バッグ。
【請求項７】
前記袋状本体が平底を備える、請求項１から６のいずれかに記載の収容バッグ。
【請求項８】
前記開口部の周囲に沿って、ＲＦＩＤアンテナが内包されている、請求項１から７のいずれかに記載の収容バッグ。
【請求項９】
全体にわたって外科手術的滅菌処理が施されている、請求項１から８のいずれかに記載の収容バッグ。
【請求項１０】
前記外科手術的滅菌処理が、乾燥滅菌、高圧蒸気滅菌、放射線滅菌、煮沸消毒、ガス滅菌および電子線滅菌からなる群から選択される少なくとも１つの滅菌処理である、請求項９に記載の収容バッグ。
【請求項１１】
手術器具収容バッグ包装体であって、  請求項９または１０に記載の外科手術的滅菌処理が施された手術器具収容バッグと抗菌性を保持し得る材料とを備え、  ここで、該手術器具収容バッグが該抗菌性を保持し得る材料で包装かつ密封されている、包装体。
【発明の詳細な説明】
【技術分野】
【０００１】  本発明は、手術器具収容バッグに関し、より詳細には、外科手術において施術者が胴体に巻きつけて使用するための、手術器具収容バッグに関する。
【背景技術】
【０００２】  近年の医療技術の急速な進歩に伴って、外科手術における種々の手術器具が開発されている。外科手術の現場では、施術者は、その目的および用途に応じてこのような手術器具を自在に使い分けて手術を行う。【０００３】  従来、手術器具の持ち替えには助手の協力が必要である。すなわち、施術者は使用する手術器具の名称を助手に伝え、助手からその器具を受け取った後、施術を行う。施術者が別の器具を必要とする場合は、再びその名称を助手に伝え、それまで使用していた器具を助手に手渡した後に新たな別の器具とを助手から受け取り、施術を継続する。【０００４】  このように、助手は、施術者の求めに応じ、使用する手術器具を機敏に施術者に手渡し、かつ施術者から受け取った器具を、次の施術者の求めがあるまで、所定の場所に載置する必要がある。助手の機敏な行動が手術全体の効率性にも大きく影響する。【０００５】  一方、このような手術器具は、非常に高度な衛生管理が求められており、かつその特殊性から高価なものである。例えば、助手と施術者との間の受け渡しまたは載置が不充分なために、手術室の床上に落下したような場合は、その手術器具はもはや施術において使用することは許されず、新たな手術器具を準備して使用しなければならない。細心の注意を払って施術が行われければならない環境において、このような点は施術者および助手にとって軽減が所望される負担の１つである。
【発明の概要】
【発明が解決しようとする課題】
【０００６】  本発明は、上記問題の解決を課題とするものであり、その目的とするところは、高度な衛生状態を保持したまま、施術者と助手との間の手術器具の持ち替えの負担を軽減し得る、手術器具の収容かつ取り出しが容易な手術器具収容バッグを提供することにある。
【課題を解決するための手段】
【０００７】  本発明は、外科手術において施術者が胴体に巻きつけて使用するための、手術器具収容バッグであって、  施術者の胴体に接触する背面部を有しかつ上方に開口した開口部を有する袋状本体と、該袋状本体の上端に取り付けられた腰ベルトとを備える、収容バッグである。【０００８】  １つの実施形態では、上記開口部の周囲に沿って、弾性部材が内包されている。【０００９】  １つの実施形態では、上記袋状本体の内部に、上記腰ベルトに対して垂直な方向に延びた仕切部が設けられており、該仕切部は前記袋状本体の上方を区切り、下方が解放されるように設けられている。【００１０】  １つの実施形態では、上記袋状本体の背面部側の内側の上方に、上記手術器具を係止するためのループ状係止部が設けられている。【００１１】  １つの実施形態では、上記袋状本体の両方の側面に、上記腰ベルトをジグザグ状に折り畳まれた状態で保持可能な面ファスナーを備え、そして折り畳まれた腰ベルトは先端側が面ファスナーの雌側に接するように保持されている。【００１２】  １つの実施形態では、上記袋状本体は、耐水性を有する外側層と、耐熱性を有する内側層とを備える。【００１３】  １つの実施形態では、上記袋状本体は平底を備える。【００１４】  １つの実施形態では、上記開口部の周囲に沿って、ＲＦＩＤアンテナが内包されている。【００１５】  １つの実施形態では、本発明の収容バッグは、全体にわたって外科手術的滅菌処理が施されている。【００１６】  さらなる実施形態では、上記外科手術的滅菌処理は、乾燥滅菌、高圧蒸気滅菌、放射線滅菌、煮沸消毒、ガス滅菌および電子線滅菌からなる群から選択される少なくとも１つの滅菌処理である。【００１７】  本発明はまた、手術器具収容バッグ包装体であって、上記外科手術的滅菌処理が施された手術器具収容バッグと抗菌性を保持し得る材料とを備え、ここで、該手術器具収容バッグが該抗菌性を保持し得る材料で包装かつ密封されている、包装体である。
【発明の効果】
【００１８】  本発明によれば、袋状本体の上端に取り付けられた腰ベルトにより、本発明の収容バッグ自体を施術者の胴体に巻きつけて使用することができる。したがって、手術器具の持ち替えを施術者のみで行うことができ、持ち替えに要する時間を短縮することができる。さらに施術者および助手の間の持ち替えのための注意力の負担を軽減することができる。さらに、本発明によれば、収容される手術器具の衛生状態は高度なまま保持され、助手と施術者との手渡しの際に起こり得る落下の危険性も回避することができる。
【図面の簡単な説明】
【００１９】
【図１】本発明の手術器具収容バッグの一例を示す図であって、収容バッグを構成する外表面（外側層）の一部を省略した、当該収容バッグの一部切欠正面図である。
【図２】本発明の手術器具収容バッグを構成する袋状本体の周面の積層構造の一例を示す概略説明図であって、２種類の材料が積層された袋状本体の厚さ方向の断面を示す図である。
【図３】図１に示す本発明の手術器具収容バッグの開口部近傍の構造を説明するための、当該バッグの部分断面図である。
【図４】図１の示す本発明の手術器具収容バッグのＡ−Ａ断面図である。
【図５】図１に示す本発明の手術器具収容バッグの平面図である。
【図６】本発明の手術器具収容バッグを構成するループ状係止部の一例を示す概略説明図である。
【図７】本発明の手術器具収容バッグ包装体を模式的に示す図であって、外科的滅菌処理が施された手術器具収容バッグを、滅菌性を保持し得る材料（包装材料）内に配置して当該包装体を構成する一例を示す図である。
【図８】本発明の手術器具収容バッグの使用態様の一例を示す説明図である。
【図９】本発明の手術器具収容バッグを構成する腰ベルトの折り畳み様式の一例を示す概略説明図である。
【図１０】本発明の手術器具収容バッグを構成する腰ベルトの折り畳み様式の他の例を示す概略説明図である。
【図１１】本発明の手術器具収容バッグの他の例を示す図であって、収容バッグを構成する外表面（外側層）の一部を省略した、当該収容バッグの一部切欠正面図である。
【図１２】図１１に示す手術器具収容バッグを用いて手術器具の遺残事故を防止するためのシステムを模式的に示す図であって、ＲＦＩＤタグを備える手術器具が当該収容バッグ内に設けられたＲＦＩＤアンテナを通過することにより、当該手術器具の遺残の可能性の有無を把握することを説明するための図である。
【発明を実施するための形態】
【００２０】  以下、本発明を図面を用いて詳述する。
【００２１】  図１は、本発明の手術器具収容バッグの一例を示す。
【００２２】  本発明の手術器具収容バッグは、外科手術において施術者が胴体に巻きつけて使用するものである。図１に示すように、本発明の収容バッグ１００は、施術者の胴体に接触する背面部２１を有し、かつ上方に開口した開口部２３を有する袋状本体２０と、該袋状本体２０の上端に取り付けられた腰ベルト８０とを備える。
【００２３】  袋状本体２０は、上方が開口された開口部２３を有する袋状の形態を有する。下方は、閉じられており、好ましくは平底２４を有する。袋状本体２０の大きさは特に限定されないが、開口部２３の長さ（袋状本体２０の上方周囲の長さ）は、例えば、５０ｃｍ〜８０ｃｍ、好ましくは５５ｃｍ〜７０ｃｍであり、高さは、例えば、２０ｃｍ〜５０ｃｍ、好ましくは３５ｃｍ〜４５ｃｍであり、下方周囲の長さ（底部の長さ）は、例えば、４０ｃｍ〜６０ｃｍ、好ましくは４５ｃｍ〜５５ｃｍである。
【００２４】  袋状本体２０は、好ましくは柔軟な材料、例えば、不織布、織物のような布帛から構成されている。本発明の収容バッグは手術室内で使用されるため、袋状本体２０は、毛羽立ちが抑えられた材料で構成されていることが好ましい。さらに、袋状本体２０を構成する材料は、少なくとも内側の材質が耐熱性を有するもので構成されていることが好ましい。手術器具の中には、施術の際、器具先端部に熱を帯びるものもある。このような手術器具を収納することにより、袋状本体２０の焼け焦げ、溶解などが起こらないようにするためである。袋状本体２０を構成する材料は、２種以上の材料を積層し、これらの性質を引き出すように構成したものであってもよい。さらに、本発明において、袋状本体２０を構成する材料は、Ｘ線透過性を有するもので構成されていることが好ましい。手術の際の手術器具（例えば、針）は、患者の体内への置き忘れによる事故を防止するために手術の間その数が厳格に管理されている。しかし、仮にその数が一致せず、針が本発明の収容バッグ内に収容されていたとしても、このようなＸ線透過性を有することにより、レントゲン撮影を通じて容易に針の有無を確認することが可能となる。
【００２５】  袋状本体２０を構成する材料の一例について説明する。図２は、本発明の手術器具収容バッグを構成する袋状本体の周面の積層構造の一例を示す概略説明図であって、２種類の材料が積層された袋状本体の厚さ方向の断面を示す図である。
【００２６】  図２に示す袋状本体２０は、耐水性を有する外側層７１と耐熱性を有する内側層７２とを備える。外側層７１を構成する材料としては、必ずしも限定されないが、例えば、ポリプロピレン不織布；レーヨン不織布；コットン不織布；ならびにポリプロピレン、レーヨン、および綿などの化学繊維または天然繊維から構成される混紡不織布；が挙げられる。これらの外側層７１を構成する材料はまた、Ｘ線透過性を有するものであり得る。内側層７２を構成する材料としては、必ずしも限定されないが、例えば、ポリエチレンテレフタレート不織布、およびアラミド不織布が挙げられる。これらの内側層７２を構成する材料はまた、Ｘ線透過性を有するものであり得る。図２において、袋状本体２０は、このような２層の積層体により構成されているが、本発明はこのような形態に必ずしも限定されず、例えば、当該外側層７１と内側層７２との間に芯地となる他の層（例えば、不織布）が設けられていてもよい。このような芯地を配置することにより、袋状本体２０の形態は保持されやすくなる。
【００２７】  再び図１を参照すると、袋状本体２０は、種々の手術器具（例えば、長尺の器具、先端に加熱手段が取り付けられた器具）を収容することができる。収容することができる手術器具の例としては、必ずしも限定されないが、通常尺または長尺のピンセット；ハサミ；吸引または洗浄用などの鉗子類；電気メスなどのエネルギーデバイス；および内視鏡（内視鏡スコープ）；が挙げられる。なお、袋状本体２０において、開口部２３は手術器具を収容かつ取り出しを容易にするとともに、袋状本体２０の内部の視認性を高める目的、すなわち施術中に使用したガーゼ等が誤って袋状本体２０内に入っているかどうかを確認することを容易にするために、常に開口した状態が保持されていることが好ましい。
【００２８】  本発明の収容バッグにおいて、開口部２３を開口した状態は任意の手段を用いて行うことができる。本発明においては、例えば、図３に示すように、開口部２３を構成する外側層７１と内側層７２との間に、開口部２３の開口部とほぼ同様の大きさを有する、例えば環状の弾性部材３０が内包されていてもよい。このような弾性部材３０を構成する材料の例としては特に限定されないが、例えば、ポリエチレン、ポリプロピレン、シリコーンのようなプラスチック；天然ゴム、合成ゴムのようなゴム；アルミニウム、真鍮のような金属；などの弾性物質から構成されるワイヤが挙げられる。
【００２９】  本発明の収容バッグにおいて、開口部２３の形状は上方に開口されており、施術者が内部を視認しやすいように構成されているかぎり特に限定されない。なお、図１に示す収容バッグ１００において、開口部２３は背面部２１側で高く、正面部２２側で低くなるように成形されている。このようにすれば、袋状本体２０内に保持された手術器具が取り出しやすいだけでなく、助手からも袋状本体の内部が視認しやすくなる点でより好ましい。
【００３０】  なお、本発明の収容バッグ１００は、袋状本体２０の内部を視認しやすくするために、袋状本体２０が平底２４を備えていてもよい。袋状本体２０が平底２４の形態を有することにより、施術者は袋状本体２０の開口部２３から常に、袋状本体２０の内部を広範囲にわたって一目で見渡すことができる。これにより、収容した手術器具から目的の器具を見付けやすいだけでなく、手術中に使用したガーゼ等が誤って袋状本体２０内に入り込んだような場合も簡易に発見し易くなる。
【００３１】  図４は、上記図１に示す本発明の手術器具収容バッグのＡ−Ａ断面図である。また、図５は、上記図１に示す本発明の手術器具収容バッグの平面図である。
【００３２】  図４および図５に示すように、袋状本体２０の内部には仕切部４０が設けられている。袋状本体２０の内部は仕切部４０で区分けされており、区分けされた各区画において、施術者がそれぞれ目的に応じて手術器具を収容することができるように構成されている。
【００３３】  仕切部４０の構造は、各区画に手術器具を一つずつ保持できる限り特に限定されない。例えば、図４に示すように、袋状本体２０の上方だけを区切り、下方が解放されるように設けられていることが好ましい。このようにすれば、施術者が袋状本体２０の内部を観察する際に、仕切部４０が視界を遮ることもなく、袋状本体２０の底部まで一目で視認可能となる。本発明の一つの実施形態では、仕切部４０の最も下方に位置する部分が、袋状本体２０の底部からその高さの５０％以上の位置となるように、当該仕切部４０に設けるが好ましく、６０％以上の位置に設けるのがより好ましい。また、手術器具を収容しやすくするため、仕切部４０は、仕切部４０の最も上方に位置する部分が、開口部２３の縁から、例えば、２ｃｍ〜１０ｃｍ下方の位置に配置されるように設けられていることがさらに好ましい。
【００３４】  本発明の収容バッグにおいて、仕切部の形状は特に限定されない。例えば、図４に示す本発明の１つの実施形態では、開口部２３が背面部２１側で高く正面部２２側で低く構成されているのに合わせて、仕切部４０も背面部２１側で高く正面部２２側で低い平行四辺形とされているが、その他の任意の形状（例えば、長方形および台形）を有していてもよい。
【００３５】  本発明の収容バッグにおいて、仕切部４０の延設方向も特に限定されない。例えば、図５に示すように、仕切部４０を、腰ベルト８０に対してそれぞれ垂直となるように配置することにより、仕切部４０で区分けされた区画は腰ベルト８０の長さ方向に沿って整列した状態になる。このような配置により、本発明の収容バッグを施術者の体に装着した際、施術者の体表面に沿って手術器具を並べて保持することができ、手術の際に必要な手術器具を選択するのが一層容易となる。仕切部４０の数も特に限定されず、当業者により任意の数を設定することができる。本発明の収容バッグにおいて、仕切部は、例えば１個〜５個から任意の数が選択され得る。
【００３６】  仕切部４０を構成する材料は、特に限定されないが、使用した手術器具が接触することを考慮すれば、例えば、上記袋状本体２０を構成する材料、特に耐熱性を有する材料、例えば、上記内側層７２と同様の材料で構成されていることが好ましい。
【００３７】  図６は、本発明の手術器具収容バッグを構成するループ状係止部の一例を示す概略説明図である。
【００３８】  本発明の収容バッグにおいて、上述の仕切部４０の代わりに、あるいは仕切部４０とともに、図６に示すような、手術器具を係止するためのループ状係止部５０が袋状本体２０に設けられていてもよい。ループ状係止部５０は、例えば、図５に示すように、袋状本体２０の背面部２１側の内側の上方に取り付けられた帯状部材の一部がループ状に突出した構造を有し、ループの内側に手術器具を挿入することにより、袋状本体２０内で手術器具を係止することができるように構成されている。このようにすれば、どのような手術器具を係止したのか、外部からでも視認しやすくなり、施術者が移動する際に収容した袋状本体２０内の手術器具が互いに衝突し合って損傷するなどの危険も回避することができる。
【００３９】  ループ状係止部５０の形状および大きさは、収容する手術器具の大きさに応じて、当業者により任意のものが選択され得る。なお、図６に示す本発明の１つの実施形態では、例えば、長さ３ｃｍ〜３．５ｃｍおよび幅１ｃｍ〜３ｃｍを有する帯状部材５１の幅方向の両端部を袋状本体の内側層に縫い付けることにより、ループ状係止部５０が固定される。このようなループ状係止部５０を、例えば１．５ｃｍ〜２ｃｍの間隔をあけて複数個固定することができる。
【００４０】  なお、仕切部４０とループ状係止部５０を併用する場合、ループ状係止部５０は仕切部４０で区分けされた区画内に通常は１つだけ設けられるが、さまざまな大きさの手術器具を係止することができるように、１つの区画内に大きさが異なるループ状係止部５０を２つ以上設けてもよい。
【００４１】  ループ状係止部５０を構成する材料は、特に限定されないが、使用した手術器具が接触することを考慮すれば、例えば、上記袋状本体２０を構成する材料、特に上記内側層７２と同様の材料で構成されていることが好ましい。
【００４２】  再び図１を参照すると、本発明の収容バッグ１００において、腰ベルト８０は袋状本体２０の背面側の上端に、例えば、縫い合わせ、または接着剤を介した貼付により取り付けられている。なお、図１に示す腰ベルト８０上に設けられた一点鎖線は単に省略を表す。腰ベルト８０は、柔軟な材料で構成される帯状体であり、例えば、１本の帯状体として袋状本体２０の背面側の上方に取り付けられていてもよく、あるいは２本に分離した帯状体がそれぞれ袋状本体２０の背面側の上方において、必要において中央部に間隔をおいて取り付けられていてもよい。腰ベルト８０が、例えば１本の帯状体で構成される場合、その大きさは、例えば、長さ１５０ｃｍ〜２３０ｃｍおよび幅３ｃｍ〜６ｃｍである。２本に分離した帯状体が採用される場合、当該帯状体の１つの大きさは、例えば、長さ７０ｃｍ〜２２０ｃｍおよび幅３ｃｍ〜６ｃｍである。
【００４３】  腰ベルト８０を構成する材料は、特に限定されないが、例えば、上記袋状本体２０を構成する材料、特に耐水性を有する材料、例えば、上記外側層７１と同様の材料で構成されていることが好ましい。
【００４４】  本発明の手術器具収容バッグは、使用前の段階において、当該技術分野において周知の手段を用いてバッグ全体が予め乾燥滅菌、高圧蒸気滅菌、放射線滅菌、煮沸消毒、ガス滅菌（例えば、ＥＯＧ（酸化エチレンガス）滅菌、ホルマリンガス滅菌、およびグルタラール過酸化水素ガスプラズマ滅菌）、電子線滅菌などの滅菌処理（すなわち、外科手術的滅菌処理）が施されていることが好ましい。ガス滅菌として、ＥＯＧ滅菌を行うことがさらに好ましい。このような外科手術的滅菌処理に採用される滅菌条件としては、必ずしも限定されず、当業者により任意の条件が設定される。さらに、本発明の手術器具収容バッグは、高い滅菌状態を保持するために、使い捨てを目的として設計されている。このため、使用後は手術毎に適切に廃棄される。
【００４５】  上記滅菌された手術器具収容バッグは、例えば、使用直前まで包装材料で包装して滅菌性を保持した収容バッグ包装体として保管することができる。図７は、本発明の手術器具収容バッグ包装体１１０を模式的に示す図であって、外科的滅菌処理が施された手術器具収容バッグ１０２を、滅菌性を保持し得る材料（包装材料）１０４内に配置して当該包装体を構成する一例を示す図である。すなわち、本発明の収容バッグ包装体１１０は、上記外科的滅菌処理が施された手術器具収容バッグ１０２を、包装材料として、滅菌性を保持し得る材料１０４で包装かつ密封することにより構成される。
【００４６】  滅菌性を保持し得る材料（包装材料）の例としては、特に限定されないが、ポリエチレン、ポリプロピレンのようなプラスチック製のフィルムまたはシート、あるいはこれらのプラスチックとアルミニウム箔のような金属箔との積層フィルムまたはシートが挙げられる。包装材料の厚みは、特に限定されず、当業者によって適切な厚みが選択され得る。
【００４７】  包装材料またはそれを用いて得られた収容バッグ包装体の大きさもまた特に限定されない。上記滅菌された手術器具収容バッグが適度な大きさとなるまで折り畳まれたものを包装材料で包装かつ密封してもよい。
【００４８】  本発明の収容バッグ包装体１１０は、例えば、図７に示すように、予め袋状に加工された包装材料１０４内に、外科的滅菌処理が施された手術器具用収容バッグ１０２が配置され、滅菌性を保持したまま開口部を、当該分野において公知の手段（例えば、ヒートシールまたは接着剤）により密封することにより製造され得る。あるいは、本発明の収容バッグ包装体は、滅菌された手術器具用収容バッグを２枚の矩形の包装材料で包み、滅菌性を保持したまま包装材料の四隅を、当該分野において公知の手段（例えば、ヒートシールまたは接着剤）により密封することにより製造され得る（図示せず）。
【００４９】  本発明の収容バッグ包装体は、内部に配置された手術器具収容バッグの滅菌性を保持したまま、手術での使用直前まで簡便に保管および輸送することができる。
【００５０】  図８は、本発明の手術器具収容バッグの使用態様の一例を示す説明図である。
【００５１】  本発明の収容バッグ１００は、図８に示すように、施術者がこの腰ベルト８０を自らの腰に巻いて、結び付けることにより、収容バッグ１００が施術者に装着される。なお、本発明の収容バッグ１００は滅菌された状態で施術者に渡され、施術者はこの滅菌状態が維持されるように注意しながら収容バッグを装着する必要がある。滅菌状態を維持しながら本発明の収容バッグ１００を装着する方法は特に限定されないが、具体的な方法としては、例えば、まず袋状本体２０に取り付けられる腰ベルト８０の一端側を、滅菌されていない器具等と接触しないように注意しながら施術者が持ち、次に他端側の付近に取り付けられた後述の紙ホルダ８２を助手が持って、滅菌されていない器具等と接触しないように注意しながら施術者の後ろに移動し、最後に施術者が助手に腰ベルト８０の一端側を渡し、助手が腰ベルト８０の一端側と他端側とを施術者の背面で結び付ける方法が挙げられる。
【００５２】  上述のとおり、本発明の収容バッグ１００を装着する際には、滅菌状態が維持されるように注意する必要があるが、本発明の収容バッグ１００の場合、腰ベルト８０が手術室の床面に垂れることにより滅菌状態が失われるおそれがある。これを防ぐ方法としては、袋状本体２０に腰ベルト８０を保持するための保持機構が設けられてもよい。
【００５３】  上記のように、本発明の手術器具収容バッグは、使用されるまで充分に滅菌性が保持されていなければならないが、袋状本体２０のサイズと比較して、比較的長さのある腰ベルト８０を有するため、製造から使用までの間、腰ベルト８０はコンパクトに折り畳まれていることが好ましい。また、この折り畳みは、上記のような施術者の装着の際の妨げとなるようなものは回避するような様式にて行われていることが好ましい。
【００５４】  図９は、本発明の手術器具収容バッグを構成する腰ベルトの折り畳み様式の一例を示す概略説明図である。
【００５５】  図９に示す例では、袋状本体２０の両側に設けられた腰ベルト８０の各中央部分は袋状本体２０の中に収容されており、腰ベルト８０の先端側８１がそれぞれ袋状本体８０の外に出された状態により、腰ベルト８０が折り畳まれている。なお、２つの腰ベルト８０のうち、少なくとも一方の先端部８１には、腰ベルト８０の滅菌状態を保持したまま施術者が助手に腰ベルトを手渡すことができるよう、補助するための紙ホルダ８２（例えば、紙製のタグ）が設けられていてもよい。
【００５６】  図１０は、本発明の手術器具収容バッグを構成する腰ベルトの折り畳み様式の他の例を示す概略説明図である。
【００５７】  図１０の（ａ）および（ｂ）に示すように、本発明の収容バッグは使用前の状態では、腰ベルト８０はジグザグ状、即ち山折りと谷折りを交互に繰り返して折り畳み、袋状本体２０に取り付けた面ファスナー６０の雌側６１と雄側６２で折り畳まれた腰ベルト８０を挟み込むように保持するようにして構成してもよい。このようにすれば、面ファスナー６０からはみ出した腰ベルト８０の先端側８１を引っ張るだけで折り畳まれた腰ベルト８０が先端側８１から少しずつ伸ばされ、したがって全長にわたって一度に解放されるのを防止することができる。これにより腰ベルト８０が収容バッグから垂れ下がる危険を回避することができる。なお、図１０に示す例においても、特に図示してないが、図９の例と同様に、腰ベルト８０の先端部８１に紙ホルダ８２が設けられていてもよい。
【００５８】  上述のように腰ベルト８０をジグザグ状に折り畳み、面ファスナー６０で挟み込んで保持する態様において、腰ベルト８０は、図１０の（ａ）に示すように、腰ベルト８０の先端側が面ファスナーの雌側６１に接するように保持されていることが好ましい。面ファスナーの雄側６２には、フック型の突起が設けられている。腰ベルト８０の先端側が雄側６２に接触した状態で保持した場合には、施術者が腰ベルト８０の先端側８１を引っ張ると、腰ベルト８０がフック型の突起に引っ掻かれながら面ファスナー６０の間から引っ張り出されることになる。このため、摩擦力が発生して腰ベルト８０が解けにくくなるばかりでなく、腰ベルト８０の表面が毛羽立ってダストが発生し、このダストにより手術室を無用に汚染される危険がある。この点、上記本発明の１つの実施形態では、面ファスナーの雌側に設けられているのはループ状の突起であるため、腰ベルト８０の先端側が雌側に接触した状態で保持した場合には腰ベルト８０の先端を引っ張ったとしてもその摩擦力は弱く、腰ベルト８０の表面は引っ掻かれることなく、それゆえ毛羽立ちによるダストの発生を防止することができる。
【００５９】  なお、図１０に示す本発明の１つの実施形態では、面ファスナーの雌側６１を袋状本体２０の両方の側面に縫い付け、面ファスナーの雄側６２の一端を雌側６１の背面側に縫い付けることにより面ファスナー６０が設けられているが、本発明は必ずしもこのような形態に限定されず、例えば、腰ベルト８０自体の基端（袋状本体２０への取り付け部分の付近）に面ファスナー６０を取り付けてもよい。
【００６０】  さらに、本発明においては、面ファスナー６０の機能は、このような腰ベルト８０の折り畳み時の固定だけに限定されない。例えば、施術者が本発明の手術器具収容バッグを装着して手術を行う際、電気ケーブルが接続された手術器具の収容において電気ケーブルを当該面ファスナー６０で挟持することにより、収容された手術器具は袋状本体２０内での動きが一層制限される。これにより、施術者は当該手術器具の収容の状態に気を配ることなく、手術に集中することができる。
【００６１】  図１１は、本発明の手術器具収容バッグの他の例を示す。
【００６２】  図１１において、本発明の手術器具用収容バッグ２００は、上記図１に示す収容バッグ１００と同様に、上方に開口した開口部２３および平底２４を有する袋状本体２０と、該袋状本体２０の上端に取り付けられた腰ベルト８０とを備える。さらに、収容バッグ２００には、袋状本体２０の開口部２３の周囲に沿ってＲＦＩＤアンテナ９０が内包されている。ＲＦＩＤアンテナ９０は、弾性部材３０とほぼ同様の形状を有し、その周回数は特に限定されず、当業者によって任意の数が設定され得る。ＲＦＩＤアンテナ９０は、図１１において図示されていない送受信機と電気的に接続されており、後述のＲＦＩＤタグが当該アンテナ９０内を通過することにより、その通過したタグが有する情報（例えば、手術器具の種類、患者の個体識別情報等）およびタグの通過した時間などの各種情報が送受信機を通じて、別途設けられた同受信機に接続されたコンピュータ内に記録される。
【００６３】  図１１において、ＲＦＩＤアンテナ９０は、弾性部材３０の下方に設けられているが、必ずしもこのような配置に限定されない。開口部２３において、ＲＦＩＤアンテナ９０は弾性部材３０の上方に設けられていてもよい。
【００６４】  本発明においては、上記図１１に示す手術器具用収容バッグ２００を用いて、手術器具の遺残事故を防止するためのシステムを構築することができる。
【００６５】  図１２は、上記図１１に示す手術器具収容バッグ２００を用いて手術器具の遺残事故を防止するためのシステムを模式的に示す図である。
【００６６】  なお、図１２は、本発明の収容バッグを構成する部材のうち、ＲＦＩＤアンテナ９０および送受信機９２を除き、他の部材の記載が破線で省略して表現されている。図１２のうち、ＲＦＩＤアンテナ９０の上方は、本発明の収容バッグの開口部側を表し、当該ＲＦＩＤアンテナ９０の下方は、本発明の収容バッグの平底側を表す。
【００６７】  図１２に示すように、当該システムは、ＲＦＩＤタグ９８が当業者に任意の様式で手術器具９６に取り付けられたタグ付き手術器具９４と、上記図１１に示す収容バッグ２００の袋状本体２０内に内包され、かつ送受信機９２と接続されたＲＦＩＤアンテナ９０とで構成される。
【００６８】  タグ付き手術器具９４のＲＦＩＤタグ９８には、個体識別情報や当該器具の種類、番号および記号などの情報が予め記録され、かつ必要に応じて当該情報を示すバーコードまたは二次元バーコードが印刷されている。
【００６９】  外科手術において、本発明の収容バッグ２００を装着した施術者は、手術の間、このようなタグ付き手術器具９４の複数を収容バッグ２００内に収容し、施術に必要なものを適宜バッグから取り出して使用する。このような取り出しの際、タグ付き手術器具９４のＲＦＩＤタグ９８がＲＦＩＤアンテナ９０内を通過し、このことが送受信機９２を通じて所定のコンピュータに記録される。一方、施術者は使用が済んだ器具あるいは他の器具に持ち替える場合は、そのタグ付き手術器具９４を再び収容バッグ２００内に収容する。この際、タグ付き手術器具９４のＲＦＩＤタグ９８は再びＲＦＩＤアンテナ９０内を通過し、このことが送受信機９２を通じて所定のコンピュータに記録される。
【００７０】  このようにＲＦＩＤタグ９８のＲＦＩＤアンテナ９０内の通過の有無を情報として記録かつ把握することにより、本発明の手術器具収容バッグ２００は、手術器具が誤って患者内に残す危険性を低減することができる。
【産業上の利用可能性】
【００７１】  本発明によれば、袋状本体の上端に取り付けられた腰ベルトにより、収容バッグを施術者が胴体に巻きつけて使用することができるので、手術器具を施術者の体に近接した状態で保持することができる。したがって、手術器具の持ち替えにあたり施術者の指示および助手の手が要らなくなり、外科手術における施術者と助手との両者の負担が著しく軽減される。これにより、施術者は外科手術自体により注力することができる。このように本発明の手術器具収容バッグは、外科手術を行うような医療分野において有用である。
【符号の説明】
【００７２】  ２０                    袋状本体  ２１                    背面部  ２２                    正面部  ２３                    開口部  ２４                    平底  ３０                    弾性部材  ４０                    仕切部  ５０                    ループ状係止部  ５１                    帯状部材  ６０                    面ファスナー  ６１                    雌側  ６２                    雄側  ７１                    外側層  ７２                    内側層  ８０                    腰ベルト  ８１                    先端側  ８２                    紙ホルダ  ９０                    ＲＦＩＤアンテナ  ９２                    送受信機  ９４                    タグ付き手術器具  ９６                    手術器具  ９８                    タグ  １００，１０２，２００  収容バッグ  １０４                  包装材料  １１０                  収容バッグ包装体
【図１】
2015155901.tif 000003
【図２】
2015155901.tif 000004
【図３】
2015155901.tif 000005
【図４】
2015155901.tif 000006
【図５】
2015155901.tif 000007
【図６】
2015155901.tif 000008
【図７】
2015155901.tif 000009
【図８】
2015155901.tif 000010
【図９】
2015155901.tif 000011
【図１０】
2015155901.tif 000012
【図１１】
2015155901.tif 000013
【図１２】
2015155901.tif 000014
【国際調査報告】
2015155901.tif 000015
2015155901.tif 000016
2015155901.tif 000017
2015155901.tif 000018